(57)【要約】      （修正有）【課題】車椅子、椅子、ベッド、またはその他に結合されうる補助的支持体を提供する。【解決手段】補助的支持体１は、互いに連接される略垂直アーム２および略水平アーム３と、略水平アーム３に載置される補助的要素４とを包含し、略垂直アーム２が略水平アーム３の支承面を画定することを特徴とする。【選択図】図１
0003201197.tif 000002
【実用新案登録請求の範囲】
【請求項１】
互いに連接される略垂直アーム（２）および略水平アーム（３）と、前記略水平アーム（３）に載置される補助的要素（４）とを包含する補助的支持体（１）であって、前記略垂直アーム（２）が前記略水平アーム（３）の支承面を画定することを特徴とする、補助的支持体（１）。
【請求項２】
前記略垂直アーム（２）が、ヒンジ（６）を備える接続要素（５）を上端部に包含し、前記略水平アーム（３）の一端部が前記ヒンジ（６）に接続される、請求項１に記載の補助的支持体。
【請求項３】
前記接続要素（５）が前記略垂直アーム（２）に回転式に装着される、請求項２に記載の補助的支持体。
【請求項４】
前記接続要素（５）が、前記略垂直アーム（２）に対する前記接続要素（５）の回転をブロックするためのブロック要素（７）を包含する、請求項３に記載の補助的支持体。
【請求項５】
前記略垂直アーム（２）が少なくとも２本の伸縮棒を包含する、請求項１に記載の補助的支持体。
【請求項６】
前記補助的要素（４）が前記略水平アーム（３）に旋回装着される、請求項１に記載の補助的支持体。
【請求項７】
前記略垂直アーム（２）が結合要素（８）を補完物として下端部に備える、請求項１に記載の補助的支持体。
【考案の詳細な説明】
【技術分野】
【０００１】
本考案は、車椅子、椅子、ベッド、またはその他に結合されうる補助的支持体に関する。
【背景技術】
【０００２】
ある場所では、例えば、教室や会議室では、出席者が座る椅子はサービストレイを備えなければならない。このトレイにより出席者は、例えば紙や電子機器にメモを取ることができる。
【０００３】
このサービストレイを備える椅子は、トレイが持続的に使用されるものではないので場所を取り過ぎるという欠点を有することは、自明である。
【０００４】
これらの欠点を解決するため、使用位置および折り畳み位置に載置されうるトレイを備える椅子が知られているが、トレイの折り畳みを可能にする機構が複雑になり椅子のコストを上げるという欠点を有する。
【０００５】
このような椅子の別の欠点は、他の付属品を結合するように設計されていないので、モジュール式ではないことである。
【０００６】
他の状況では、利用者が容易に手を延ばせるところに物品を載置するため、例えば車椅子やベッドにサービストレイを設けることも有益でありうる。
【０００７】
着脱可能な方法で装着されて単純かつ経済的な方法で定位置に載置されうる、例えば車椅子、椅子、またはベッドのためのトレイを備える補助的支持体の必要性は、それゆえ自明である。
【考案の概要】
【考案が解決しようとする課題】
【０００８】
本考案の補助的支持体は、上述した欠点を解決し、後述される他の利点を有する。
【課題を解決するための手段】
【０００９】
本考案による補助的支持体は、互いに連接された略垂直アームおよび略水平アームと、略水平アームに載置される補助的要素とを包含し、略垂直アームが略水平アームのための支承面を包含することを特徴とする。
【００１０】
略垂直アームはヒンジを備える接続要素を上端部に包含すると有利であり、略水平アームの一端部はこのヒンジに接続される。
【００１１】
接続要素は、好ましくは略垂直アームに回転式に装着され、略垂直アームに対する接続要素の回転をブロックするためのブロック要素を包含する。このブロック要素はさらに略垂直アームの完全な分離を可能にし、これは本考案の補助的支持体の運搬についての大きな利点となる。
【００１２】
好適な実施形態によれば、略垂直アームは少なくとも２本の伸縮棒を包含する。
【００１３】
補助的支持体はさらに、略水平アームに旋回装着される補助的要素を包含する。
【００１４】
略垂直アームがさらに、例えば車椅子、椅子、若しくはベッド、またはその他にこのアームを結合するための結合要素を補完物として下端部に備えると、有利である。
【００１５】
本考案による補助的支持体では、車椅子、椅子、ベッド、その他に結合可能な補助的要素、例えばトレイが、支承面により安定位置に保持されるので、単純かつ経済的な方法で使用されうる。
【００１６】
またさらに、支持体の運動の大きな自由度の結果として、トレイの位置を快適なやり方で変更および適応させることができる。
【００１７】
上に記載されたことをより理解するため、実用的な実施形態を単に非限定的な例として概略的に示す図面が添付される。
【図面の簡単な説明】
【００１８】
【図１】本考案による補助的支持体の、使用位置での斜視図である。
【考案を実施するための形態】
【００１９】
図１は、参照番号１によって全体が特定される本考案による補助的支持体を使用位置で示す。
【００２０】
この補助的支持体１は、ヒンジ６によって互いに連接される略垂直アーム２および略水平アーム３を包含するため、略水平アーム３は略垂直アーム２に対して（図１によれば）左へ回転されうる。
【００２１】
略垂直アーム２の上端部は、略水平アーム３が支持される支承面を画定するため、何らかの付属品を締結または調節する必要なくアームは使用位置に安定的に維持される。
【００２２】
ヒンジ６は、好ましくは、略垂直アーム２の上端部に回転式に装着される接続要素５に載置される。
【００２３】
略水平アーム３は、図１に示された実施形態ではトレイである補助的要素４を端部の一方の近くに包含するが、トレイは何らかの適当な要素、例えばコースター、スタンド、その他であってもよい。この補助的要素４は、略水平アーム３に旋回装着されると有利である。
【００２４】
略垂直アーム２はさらに、例えば車椅子、椅子、ベッド、その他に補助的支持体１を結合できる結合要素８を下端部に包含する。この結合要素８は、略垂直アーム２に回転式に装着される。
【００２５】
高さ調節を可能にするため、略垂直アーム２は２本以上の伸縮棒により形成され、一方が他方の内側に収容される。
【００２６】
同じ機能を実施するとともに実質上同じであるので参照番号７により特定されているブロック要素は、本考案による補助的支持体１の様々なコンポーネントの運動をブロックするために考案された。
【００２７】
これらのブロック要素７は具体的には、
補助的要素４の旋回をブロックするため補助的要素４と略水平アーム３との間、
接続要素５の回転をブロックするため接続要素５と略垂直アーム２との間、
相対運動をブロックするため略垂直アーム２の２本の伸縮棒の間、
略垂直アーム２の回転をブロックするため結合要素８と略垂直アーム２との間、
に設置される。
【００２８】
これらのブロック要素７は、これらを回転させることで容易に解除されうる。様々なコンポーネントの互いに対する運動が回転時に可能となり、コンポーネントを互いに対して再びブロックするには、反対方向に回転されるだけでよい。ブロックは、適当な手段により、例えば、収容されたアーム２，３の一方にブロック位置で押圧されるカムによって実施される。
【００２９】
ブロック要素は、補助的支持体のコンポーネントを分離して運搬を容易にすることができる。
【００３０】
本考案の特定実施形態が参照されたが、添付の請求項により規定される保護範囲から逸脱することなく、説明された補助的支持体が数の変更および修正を受けうることと、言及された詳細すべてが技術的に同等な他の詳細と置き換えられうることとは、当業者に自明である。
【符号の説明】
【００３１】
１  補助的支持体
２  略垂直アーム
３  略水平アーム
４  補助的要素
５  接続要素
６  ヒンジ
７  ブロック要素
８  結合要素
【図１】
0003201197.tif 000003